(57)【要約】【課題】個装箱の強度上および製品の保護上の問題を生じることなく、梱包後に個装箱を開梱せずに内部の添付品を確認できるようにすることにある。【解決手段】製品２と添付品３とを同梱される個装箱１の、前記添付品の挿入位置に隣接する面１ａに、前記添付品の視認が可能な小穴１ｂを設けてなる、穴付き個装箱である。【選択図】図１
2006188252.tif 000002
【特許請求の範囲】
【請求項１】
製品と添付品とを同梱される個装箱の、前記添付品の挿入位置に隣接する面に、前記添付品の視認が可能な小穴を設けてなる、穴付き個装箱。
【請求項２】
前記小穴の形状は円または楕円であり、
前記円の直径または前記楕円の長径および短径は５ｍｍ以上で１０ｍｍ以下であることを特徴とする、請求項１記載の穴付き個装箱。
【請求項３】
前記小穴は前記個装箱の展開外形を打ち抜くプレス型でその展開外形と一緒に打ち抜いたものであることを特徴とする、請求項１または２記載の穴付き個装箱。
【請求項４】
前記小穴は前記打ち抜きの方向を前記個装箱の外部から内部へ向かう方向としたものであることを特徴とする、請求項３記載の穴付き個装箱。
【請求項５】
前記小穴を封止する透明テープを設けたことを特徴とする、請求項１から４までの何れか記載の穴付き個装箱。
【発明の詳細な説明】
【技術分野】
【０００１】
この発明は、製品と添付品とを同梱される個装箱に関し、特には、穴付きの個装箱に関するものである。
【背景技術】
【０００２】
製品の出荷梱包作業では、個装箱への製品の梱包と同時に、保証書、説明書等の添付品を同梱する作業が付帯作業として発生するが、この添付作業に関連してのミスが発生すると、その都度再開梱等の確認作業を実施するため、作業ロスが発生する。
【０００３】
このため従来は、梱包時の添付品の同梱し忘れを防止すべく、出荷数に合わせて添付品を事前に準備したり、梱包後に残りの無いことの確認や各個装箱の重量測定を行ったりして添付品の同梱し忘れ防止を図っている。しかし、添付品の残りがあったり重量の少し重い個装箱があったりする異常が出ると、再開梱で添付品の有無を対象ロット全数点検せざるを得なかった。
【０００４】
そこで本願発明者は、梱包後に開梱せずに添付品を確認し得るよう、個装箱に穴を開けることに想到し、穴を開けた個装箱に関する技術を検討したところ、かかる技術としては従来、特許文献１や特許文献２に記載されたものが知られている。
【特許文献１】特開２００４−２４４０８４
【特許文献２】特開２０００−１６８７８６
【発明の開示】
【発明が解決しようとする課題】
【０００５】
しかしながら、特許文献１記載のものは箱内のバーコードを読み取るための穴であるため、また特許文献２記載のものは箱内の印刷物の印刷事項を読み取るための穴であるため、何れも穴が大きすぎて、個装箱の強度上および製品の保護上好ましくないという問題があった。
【課題を解決するための手段】
【０００６】
この発明は、上記課題を有利に解決することを目的とするものであり、この発明の穴付き個装箱は、製品と添付品とを同梱される個装箱の、前記添付品の挿入位置に隣接する面に、前記添付品の視認が可能な小穴を設けてなるものである。
【発明の効果】
【０００７】
かかる個装箱によれば、その小穴から個装箱内の添付品を視認できるので、梱包後に開梱せずに添付品を容易に確認することができる。しかも添付品の視認が可能な小穴を設けるだけであるため、個装箱の強度も充分に確保でき、また少なくとも添付品が製品を覆うので、製品の保護も図ることができる。
【０００８】
なお、この発明においては、前記小穴の形状は円または楕円であり、前記円の直径または前記楕円の長径および短径は５ｍｍ以上で１０ｍｍ以下であると好ましい。このようにすれば穴が充分に小さいので、個装箱に収納される添付品が穴に引っかかったり、穴から添付品のコーナー部等が飛び出したりするのを防止することができると同時に、穴に指が入ることによる怪我等を起きにくくすることができる。
【０００９】
また、この発明においては、前記小穴は前記個装箱の展開外形を打ち抜くプレス型でその展開外形と一緒に打ち抜いたものであると好ましい。このようにすれば穴の加工分の工数増加を回避することができる。
【００１０】
さらに、この発明においては、前記小穴は前記打ち抜きの方向を前記個装箱の外部から内部へ向かう方向としたものであると好ましい。このようにすれば、個装箱の取り扱い時に穴の抜きバリにより指等に切り傷等が発生するのを防止することができる。
【００１１】
そして、この発明においては、前記小穴を封止する透明テープを設けても良い。このようにすれば、個装箱内への塵埃や湿度の混入の防止が要求される場合に適切に対応することができる。
【発明を実施するための最良の形態】
【００１２】
以下、本発明の実施の形態を実施例によって、図面に基づき詳細に説明する。ここに、図１は、この発明の穴付き個装箱の一実施例を示す斜視図、図２は、その実施例の個装箱を外装箱に複数個収納する状態を例示する斜視図であり、図中、符号１はその実施例の個装箱を示す。
【００１３】
この実施例の個装箱１は、図１に示すように、製品２と、透明袋に入った取り扱い説明書等からなる添付品３とを同梱されるものであり、この実施例では、その個装箱１の箱高さやその個装箱１内に入れる図示しない緩衝材等で製品２の収納高さを調整して、個装箱１内の最上部に添付品３をガタツキの無いように挿入して収納できるようにしてある。
【００１４】
そしてこの実施例ではその個装箱１の、添付品３の上記挿入位置に隣接する面であるトップ面１ａに、添付品３の視認が可能な小穴１ｂを設けることで、その小穴１ｂからの個装箱１内への塵埃等の進入を防ぐ構造にしてある。この小穴１ｂの形状は、この実施例では円または楕円とし、その円の直径またはその楕円の長径および短径は、５ｍｍ以上で１０ｍｍ以下とする。この小穴１ｂは、添付品３が個装箱１内の最上部の如何なる位置に置かれても添付品有りと容易に確認できる位置である、トップ面１ａのほぼ中央部に開けてある。
【００１５】
上記小穴１ｂはこの実施例では、個装箱１の展開外形を打ち抜くプレス型で、その展開外形と一緒に打ち抜き、その小穴１ｂの打ち抜きの方向は、上記プレス型で打ち抜いた展開外形の紙等の素材から組み立てた個装箱１の外部から内部へ向かう方向とする。
【００１６】
なお、この実施例の個装箱１は、図２に示すように外装箱５に収納されて出荷/輸送/保管されるため、テープによる小穴１ｂのシールドを不要としているが、用途によっては、図２の上部に示すようにトップ面１ａに小穴１ｂを封止するように、個装箱１の内側等から透明テープ４を設けても良い。この場合に、小穴１ｂは上述のように径が小さいため、専用のシールドテープでなく市販のテープ類でも対応が可能である。
【００１７】
かかる実施例の個装箱１によれば、その小穴１ｂから個装箱１内の添付品３を視認できるので、梱包後に個装箱１を開梱しなくても、添付品１が個装箱１に収納されていることを誰でもが、ハカリ等の計測器を使用せず目視で容易に確認することができる。しかも添付品３の視認が可能な小穴１ｂを設けるだけであるため、個装箱１の強度も充分に確保でき、また少なくとも添付品３が製品２を覆うので、製品２の保護も図ることができる。
【００１８】
また、この実施例の個装箱１によれば、小穴１ｂの形状は円または楕円であり、その円の直径または楕円の長径および短径が５ｍｍ以上で１０ｍｍ以下であることから、小穴１ｂが充分に小さいので、個装箱１に収納される添付品３が小穴１ｂに引っかかったり、小穴１ｂから添付品３のコーナー部等が飛び出したりするのを防止することができると同時に、小穴１ｂに指が入ることによる怪我等を起きにくくすることができる。
【００１９】
さらに、この実施例の個装箱１によれば、小穴１ｂは個装箱１の展開外形を打ち抜くプレス型でその展開外形と一緒に打ち抜いたものであるので、小穴１ｂの加工分の工数増加を回避することができる。
【００２０】
さらに、この実施例の個装箱１によれば、小穴１ｂは上記打ち抜きの方向を個装箱１の外部から内部へ向かう方向としたものであるので、個装箱１の取り扱い時に小穴１ｂの抜きバリにより指等に切り傷等が発生するのを防止することができる。
【００２１】
そして、この実施例の個装箱１によれば、図２の上部に示すように、小穴１ｂを封止する透明テープを設けることで、個装箱１内への塵埃や湿度の混入の防止が要求される場合に適切に対応することができる。
【００２２】
以上、図示例に基づき説明したが、この発明は上述の例に限定されるものでなく、特許請求の範囲の記載範囲内で適宜変更し得るものであり、例えば、小穴の形状は円や楕円以外の形状でも良く、また小穴を設ける面はトップ面に限らず、添付品を個装箱の側面の内側に挿入する場合はその側面に小穴を設けても良い。
【産業上の利用可能性】
【００２３】
かくしてこの発明の穴付き個装箱によれば、梱包後に開梱せずに添付品を容易に確認することができる。しかも個装箱の強度も充分に確保でき、また製品の保護も図ることができる。
【図面の簡単な説明】
【００２４】
【図１】この発明の穴付き個装箱の一実施例を示す斜視図である。
【図２】上記実施例の個装箱を外装箱に複数個収納する状態を例示する斜視図である。
【符号の説明】
【００２５】
１  個装箱
１ａ  トップ面
１ｂ  小穴
２  製品
３  添付品
４  透明テープ
５  外装箱
【図１】
2006188252.tif 000003
【図２】
2006188252.tif 000004